(57)【要約】【課題】箱ラインの型替えの作業性を向上させること。【解決手段】  箱の組立て等のライン（箱ライン）の全体または部分を構成する装置群１０と、装置群１０において型替え箇所の近傍に配置される電子ペーパ２０と、各電子ペーパ２０の表示の更新制御をおこなうサーバ装置３０と、を有する箱ライン設定表示システム１であって、サーバ装置３０は、特定情報に従って一意に決定される各電子ペーパ２０それぞれに表示されるべき設定情報の組を当該特定情報に紐付けして記憶する記憶部５３１と、抽出された設定情報の組に基づき、対応する電子ペーパ２０へ向けて対応する設定情報を送出する表示情報送出部５３４と、を有し、電子ペーパ２０は、それぞれ、設定情報入力部５２１により入力された設定内容に表示を更新する表示更新部５２２と、を具備したことを特徴とする。【選択図】図５
2016012163.tif 000002
【特許請求の範囲】
【請求項１】
箱の組立てから箱に収容物を収容し出荷可能な状態にするまでのラインの全体または部分を構成する装置と、
前記装置において設定ないし調整が必要な箇所の近傍に配置される電子ペーパと、
各電子ペーパの表示の更新制御をおこなうサーバ装置と、
を有する箱ライン設定表示システムであって、
サーバ装置は、
各電子ペーパにおいて表示され箱および／または収容物に対応した情報であって当該電子ペーパの配置された近傍にある単数もしくは複数の装置構成要素の、位置、間隔、数値その他の設定ないし調整に関する情報である設定情報と、箱および／または収容物に応じてどの設定内容ないし調整内容にて装置または装置群を稼働させるかを特定する特定情報と、に関し、特定情報に従って一意に決定される各電子ペーパそれぞれに表示されるべき設定情報の組を当該特定情報に紐付けして記憶する記憶手段と、
特定情報を入力する特定情報入力手段と、
特定情報入力手段により入力された特定情報に基づき、記憶手段により格納された設定情報の組を抽出する抽出手段と、
抽出手段により抽出された設定情報の組に基づき、対応する電子ペーパへ向けて対応する設定情報を送出する表示情報送出手段と、
を具備し、
電子ペーパは、それぞれ、
サーバ装置から設定情報を入力する設定情報入力手段と、
設定情報入力手段により入力された設定内容に表示を更新する表示更新手段と、
を具備したことを特徴とする箱ライン設定表示システム。
【請求項２】
前回表示された設定情報の組と今回表示される設定情報の組とを比較する比較手段と、
比較手段による比較の結果、相違する部分につき、表示方法を変更する表示方法変更手段と、
を具備したことを特徴とする請求項１に記載の箱ライン設定表示システム。
【請求項３】
箱の組立てから箱に収容物を収容し出荷可能な状態にするまでのラインの全体または部分を構成する装置と、
前記装置において設定ないし調整が必要な箇所の近傍に配置される電子ペーパと、
各電子ペーパの表示の更新制御をおこなわしむるサーバ装置と、
を有する箱ラインに適用する箱ライン設定表示プログラムであって、
サーバ装置を、
各電子ペーパにおいて表示され箱および／または収容物に対応した情報であって当該電子ペーパの配置された近傍にある単数もしくは複数の装置構成要素の、位置、間隔、数値その他の設定ないし調整に関する情報である設定情報と、箱および／または収容物に応じてどの設定内容ないし調整内容にて装置または装置群を稼働させるかを特定する特定情報と、に関し、特定情報に従って一意に決定される各電子ペーパそれぞれに表示されるべき設定情報の組を当該特定情報に紐付けして記憶する記憶手段、
特定情報を入力する特定情報入力手段、
特定情報入力手段により入力された特定情報に基づき、記憶手段により格納された設定情報の組を抽出する抽出手段、および、
抽出手段により抽出された設定情報の組に基づき、対応する電子ペーパへ向けて対応する設定情報を送出する表示情報送出手段、
として機能させ、
電子ペーパを、それぞれ、
サーバ装置から設定情報を入力する設定情報入力手段、および、
設定情報入力手段により入力された設定内容に表示を更新する表示更新手段、
として機能させることを特徴とする箱ライン設定表示プログラム。
【請求項４】
更に、サーバ装置および／または電子ペーパを、
前回表示された設定情報の組と今回表示される設定情報の組とを比較する比較手段、および、
比較手段による比較の結果、相違する部分につき、表示方法を変更する表示方法変更手段、
として機能させることを特徴とする請求項３に記載の箱ライン設定表示プログラム。
【発明の詳細な説明】
【技術分野】
【０００１】
本発明は、箱の組立てから箱に収容物を収容し出荷可能な状態にするまでのライン（以降適宜箱ラインと称する。）に電子ペーパを複数配置し、箱や収容物の変更に伴う装置の設定変更や調整の作業性を向上するシステムおよびプログラムに関する。
【背景技術】
【０００２】
従来、箱ラインでは、箱の種類変更等に伴い、たとえば、仕切り間隔、サクションカップの位置、プッシャの押込み深さ、不良品排除を決定づける閾値などを設定ないし調整する必要があった。すなわち、装置の構成要素の位置、間隔、数値、その他の設定ないし調整が必要であった（以降において、この変更ないし調整を「型替え」と適宜称する）。
【０００３】
この型替えは、一日に複数回おこなうことも珍しくなく、型替え箇所は一回につきおよそ３０前後であるが、複雑なラインでは倍以上、場合によっては１００程度となることもある。また、型替え箇所は分散しているのが通常であり、作業時間は１時間以上要することもある。
【０００４】
従来では、紙媒体のマニュアルやタブレットを見ながら順次作業場所に移動し、適正に型替えをおこなっていた。
【０００５】
しかしながら、従来の技術では以下の問題点があった。
マニュアルやタブレットを見る場合は片手がふさがり、両手作業が困難となるという問題点があった。また、両手を解放する場合は、マニュアルやタブレットを別の所に置かないといけないが、必ずしも近場で見やすい場所に置けるとも限らない。このとき、設定値等を覚えられればよいが、実際は、たとえば三軸を調整する場合には、無意味な複数ケタの数字を３つ覚える必要があるなど、確実性に欠けてしまうといった問題点があった。すなわち、従来は、箱ラインの型替えの作業性が悪いという問題点があった。
【先行技術文献】
【特許文献】
【０００６】
【特許文献１】特開２０１１−５３９５０
【特許文献２】特開２００９−２３４６８２
【特許文献３】特開２００８−１３４７３４
【特許文献４】特開２０１３−３０５２０
【発明の概要】
【発明が解決しようとする課題】
【０００７】
本発明は上記に鑑みてなされたものであって、箱ラインの型替えの作業性を向上させることを目的とする。
【課題を解決するための手段】
【０００８】
請求項１に記載の箱ライン設定表示システムは、箱の組立てから箱に収容物を収容し出荷可能な状態にするまでのラインの全体または部分を構成する装置と、前記装置において設定ないし調整が必要な箇所の近傍に配置される電子ペーパと、各電子ペーパの表示の更新制御をおこなうサーバ装置と、を有する箱ライン設定表示システムであって、サーバ装置は、各電子ペーパにおいて表示され箱および／または収容物に対応した情報であって当該電子ペーパの配置された近傍にある単数もしくは複数の装置構成要素の、位置、間隔、数値その他の設定ないし調整に関する情報である設定情報と、箱および／または収容物に応じてどの設定内容ないし調整内容にて装置または装置群を稼働させるかを特定する特定情報と、に関し、特定情報に従って一意に決定される各電子ペーパそれぞれに表示されるべき設定情報の組を当該特定情報に紐付けして記憶する記憶手段と、特定情報を入力する特定情報入力手段と、特定情報入力手段により入力された特定情報に基づき、記憶手段により格納された設定情報の組を抽出する抽出手段と、抽出手段により抽出された設定情報の組に基づき、対応する電子ペーパへ向けて対応する設定情報を送出する表示情報送出手段と、を具備し、電子ペーパは、それぞれ、サーバ装置から設定情報を入力する設定情報入力手段と、設定情報入力手段により入力された設定内容に表示を更新する表示更新手段と、を具備したことを特徴とする。
【０００９】
すなわち、請求項１にかかる発明は、型替え箇所に電子ペーパを配置して、ハンズフリーにて作業性を向上させることができる。電子ペーパを用いることにより、既存のラインに対しても安価に導入できる。電子ペーパは反射光を利用して表示をおこなうものが多く、視野角が広くなる。視野角が広い点は、複数の型替え箇所からの確認を容易とし、それぞれの設定情報を一台に表示させることもでき、利便性をより高めることとなる。また、軽量かつ低消費電力であるという利点も有する。
【００１０】
なお、電子ペーパの種類は特に限定されず、マイクロカプセル方式、電気泳動方式等を挙げることができる。電子ペーパは各装置に複数台配置するが、型替え箇所が近接して複数ある場合は、上述したように、広い視野角を利用して一台にまとめて表示させてもよい。設定情報の内容は、たとえば「プッシャ番号０１：１２．３ｃｍ」、「吸引目盛：８．２」、「アーム０８番：１２．３，４．２，−８．９」など、装置構成要素と数値等により構成されるが、作業者が理解できるのであればこれに限定されない。また、設定情報には、設定ないし調整に関する情報に限定されず、注意事項、たとえば、「アーム０２番設定後に、プッシャ８番を調整。順序注意」のような内容が付加されていてもよい。
【００１１】
請求項２に記載の箱ライン設定表示システムは、請求項１に記載の箱ライン設定表示システムにおいて、前回表示された設定情報の組と今回表示される設定情報の組とを比較する比較手段と、比較手段による比較の結果、相違する部分につき、表示方法を変更する表示方法変更手段と、を具備したことを特徴とする。
【００１２】
すなわち、請求項２にかかる発明は、更新すべき型替え箇所に対応した設定情報部分のみを目立たせ、作業性をより向上させることができる。
【００１３】
なお、比較手段と表示方法変更手段は、サーバ装置側にあっても良く、電子ペーパ側にあっても良い。表示方法を変更するとは、該当箇所の表示色を異ならせる、大きさを大きく表示する、点滅させる、といった方法を挙げることができ、差を看取できる態様であれば特に限定されない。
【００１４】
請求項３に記載の箱ライン設定表示プログラムは、箱の組立てから箱に収容物を収容し出荷可能な状態にするまでのラインの全体または部分を構成する装置と、前記装置において設定ないし調整が必要な箇所の近傍に配置される電子ペーパと、各電子ペーパの表示の更新制御をおこなわしむるサーバ装置と、を有する箱ラインに適用する箱ライン設定表示プログラムであって、サーバ装置を、各電子ペーパにおいて表示され箱および／または収容物に対応した情報であって当該電子ペーパの配置された近傍にある単数もしくは複数の装置構成要素の、位置、間隔、数値その他の設定ないし調整に関する情報である設定情報と、箱および／または収容物に応じてどの設定内容ないし調整内容にて装置または装置群を稼働させるかを特定する特定情報と、に関し、特定情報に従って一意に決定される各電子ペーパそれぞれに表示されるべき設定情報の組を当該特定情報に紐付けして記憶する記憶手段、特定情報を入力する特定情報入力手段、特定情報入力手段により入力された特定情報に基づき、記憶手段により格納された設定情報の組を抽出する抽出手段、および、抽出手段により抽出された設定情報の組に基づき、対応する電子ペーパへ向けて対応する設定情報を送出する表示情報送出手段、として機能させ、電子ペーパを、それぞれ、サーバ装置から設定情報を入力する設定情報入力手段、および、設定情報入力手段により入力された設定内容に表示を更新する表示更新手段、として機能させることを特徴とする。
【００１５】
すなわち、請求項３にかかる発明は、型替え箇所に電子ペーパを配置して、ハンズフリーにて作業性を向上させるシステムを構築できる。
【００１６】
請求項４に記載の箱ライン設定表示プログラムは、請求項３に記載の箱ライン設定表示プログラムにおいて、更に、サーバ装置および／または電子ペーパを、前回表示された設定情報の組と今回表示される設定情報の組とを比較する比較手段、および、比較手段による比較の結果、相違する部分につき、表示方法を変更する表示方法変更手段、として機能させることを特徴とする。
【００１７】
すなわち、請求項４にかかる発明は、更新すべき型替え箇所に対応した設定情報部分のみを目立たせ、作業性をより向上させることができる。
【発明の効果】
【００１８】
本発明によれば、箱ラインの型替えの作業性を向上させることができる。
【図面の簡単な説明】
【００１９】
【図１】本発明の箱ライン設定表示システムの概要図である。
【図２】本発明の箱ライン設定表示システムのハードウェア構成の一例を示した図である。
【図３】データ格納部に格納された特定情報と設定情報の組とを示した概念図である。
【図４】画面の構成例を示した図である。
【図５】箱ライン設定表示システムの機能的構成例を示した説明図である。
【発明を実施するための形態】
【００２０】
以下、本発明の実施の形態を図面を参照しながら詳細に説明する。ここでは、無線により電子ペーパがその表示内容を更新する態様について説明する。図１は、本発明の箱ライン設定表示システムの概念図である。
【００２１】
＜箱ライン設定表示システムの外観構成＞
図１に示したように、箱ライン設定表示システム１は、箱の組立てから箱に収容物を収容し出荷可能な状態にするラインを構成する様々な装置群１０を含み、型替え箇所に電子ペーパ２０が配置され、各電子ペーパ２０へ設定情報を送信するサーバ装置３０を備える。なお、電子ペーパ２０とサーバ装置３０とは、無線アクセスポイント装置４０を介して接続されている。型替えに際しては、送り出す箱自体を変える場合の他、箱が同じであっても収容物を異ならせたり、収容物の量を異ならせる場合もあり、一日に複数回の型替えが必要となる。
【００２２】
型替えにおいては、アームその他の機械的構成の類を交換する作業はほとんど生じず、たいていの場合、特定箇所の設定変更や調整作業が主となる。箱ライン設定表示システム１では、そのような作業が必要な箇所の近傍に電子ペーパ２０を配置し、サーバ装置３０から一括して各電子ペーパ２０の表示内容を更新し、作業者がそれらを確認しながら両手作業にて型替えを効率的におこなえるようにしている。
【００２３】
＜箱ライン設定表示システムのハードウェア構成：サーバ装置＞
次に、本発明の箱ライン設定表示プログラムをインストールして構築した箱ライン設定表示システム１をハードウェアの観点から説明する。図２は、本発明の箱ライン設定表示システムのハードウェア構成の一例を示した図である。
【００２４】
サーバ装置３０は、汎用のコンピュータ、たとえば、パーソナルコンピュータを用いることができる。サーバ装置３０は、そのハードウェア構成として、ＣＰＵ３０１と、ＲＯＭ３０２と、ＲＡＭ３０３と、ストレージとしてハードディスク（ＨＤ）３０４と、グラフィックスカード３０５と、モニタ３０６と、キーボード（Ｋ／Ｂ）３０７と、マウス（ＭＯＵＳＥ）３０８と、ネットワークインターフェースカード（ＮＩＣ）３０９と、を有する。
【００２５】
ＣＰＵ３０１は、ＯＳと共にサーバ装置３０全体を制御し、各設定情報を対応する電子ペーパ２０へそれぞれ送出し、また、特定情報と電子ペーパ２０と設定情報とを組として記憶する。ここで、設定情報とは、各電子ペーパ２０において表示され箱および／または収容物に対応した情報であって当該電子ペーパ２０の配置された近傍にある単数もしくは複数の装置構成要素の、位置、間隔、数値その他の設定ないし調整に関する情報をいう。具体的な情報内容は後述する。特定情報とは、箱および／または収容物に応じてどの設定内容ないし調整内容にて装置群１０を稼働させるかを特定する情報をいう。特定情報は、箱ラインでどのような作業が進行しているかを一意に特定できる情報であるともいえる。パタンと称することもできる。なお、具体的な情報内容についても後述する。
【００２６】
この他ＣＰＵ３０１は、ハードディスク３０４に格納されている作業データをＲＡＭ３０３に一時保存する制御等もおこなう。使用の態様によっては、サーバ装置３０を装置群１０の中央制御装置としても機能させるようにし、ＣＰＵ３０１を効率的に使用するようにしてもよい。
【００２７】
ＲＯＭ３０２は、ブートプログラム等を記憶する。使用の態様によっては、ＲＯＭ３０２は、サーバ装置３０の制御プログラムを格納しておいてもよい。ＲＡＭ３０３は、ＣＰＵ３０１のワークエリアとして使用する。具体的には、ハードディスク３０４から読み出されたデータの内容やプログラム内容などを一時的に格納する。
【００２８】
ハードディスク３０４は、オペレーティングシステム（ＯＳ）、アプリケーションプログラム、各種のデータを記憶する。ハードディスクの構成については後述する。
【００２９】
グラフィックスカード３０５は、モニタ３０６へ出力すべき画像信号を送出する。使用の態様より、各電子ペーパ２０にて表示される設定情報を確認できるようにモニタ３０６へウィンドウ表示させるようにしてもよい。
【００３０】
ＮＩＣ３０９は、サーバ装置３０をネットワークＮに接続する。なお、具体的な説明は省略するがイーサーネットに接続し、その一つの末端には無線アクセスポイント装置４０を設けている。
【００３１】
ハードディスク３０４は、アプリケーション部３１０とデータ格納部３３０とにより構成される。アプリケーション部３１０は、サーバ装置３０全体を制御するＯＳ３１１と、特定情報に基づき、当該特定情報に伴う各設定情報を適正な電子ペーパ２０へそれぞれ送出し、事実上の更新制御をおこなう更新管理プログラム群３１２とにより構成される。
【００３２】
更新管理プログラム群３１２は、特定情報と、特定情報により一意に決定される型替えに必要な情報すなわち、電子ペーパ２０の識別情報と当該電子ペーパ２０にて表示させるべき設定情報との組、を記憶する記憶プログラム３２１と、特定情報を選択する選択プログラム３２２と、設定情報の組を抽出し、また、前回の設定情報の組と今回の設定情報の組とを対比し、表示方法を変更する抽出・処理プログラム３２３と、設定情報を適正な電子ペーパへ送出する送出プログラム３２４と、を有する。
【００３３】
なお、上記プログラムは、サーバ装置３０が果たす役割の観点から集約したプログラム群を説明したものであって、実際のプログラムは多数のコンポーネントやＤＬＬなどにより構成される。後述する機能的構成は、これらのプログラムが単体もしくは複数で、場合によってはデータ格納部３３０と協働して各種実現されるものである。
【００３４】
次に、データ格納部３３０について説明する。データ格納部３３０は、特定情報とその特定情報に基づいてどの電子ペーパにどの設定情報を表示させるかを組にして、複数の、特定情報−設定情報の組、が格納されている。図３は、データ格納部３３０に格納された特定情報と設定情報の組とを示した概念図である。図示したように、特定情報が「菓子箱Ａ１」のとき、この菓子箱（便宜的に菓子箱Ａと称する）に対応する各種適切な数値等がそれぞれの電子ペーパ２０に表示されるように格納されている。なお、同じ菓子箱Ａであっても、中身の形状や種類が異なっているときは、それに合わせたライン組みがされ各数値等が異なるため、特定情報は「菓子箱Ａ２」、「菓子箱Ａ３」、・・・と、区別され、それぞれの設定情報の組が存在する。すなわち、特定情報に対応する設定情報の組は一意に定まっている。
【００３５】
＜箱ライン設定表示システムのハードウェア構成：電子ペーパ＞
電子ペーパ２０は、主要なハードウェア構成として、サーバ装置３０からの情報を受信する受信部２０１と、描画制御部２０２と、画面２０３と、を有する。
【００３６】
受信部２０１は、サーバ装置３０からの設定情報を無線アクセスポイント装置４０を介して受信する。ここでは、周波数帯は２．４ＧＨｚ帯、通信規格ＩＥＥＥ８０２．１５．４のものを採用している。なお、サーバ装置３０からは、各電子ペーパ２０へ一斉に設定情報が送出されるが、受信部２０１が所定のプロトコルを用いて各電子ペーパ２０それぞれと通信し、相手先の誤りなく、その電子ペーパ２０で表示されるべき設定情報が適正に受信されるようにしている。
【００３７】
描画制御部２０２は、受信した設定情報を作業者が視認可能に出力（表示）すべく変換する。なお、電子ペーパ２０の中には、型替え箇所が近接している場合に設定情報を複数表示させるものも存在する。このときは、適宜改行したり、どの構成要素についての設定情報であるか分かるように描画制御する。
【００３８】
画面２０３は、描画制御部２０２で変換された設定情報を出力する。本実施の形態では、画面２０３は、反射型の電子粉流体ディスプレイであるとする。図４に、画面の構成例を示した。ここでは、横３２０ドット×縦１９２ドット、筐体サイズは、約１４０ｍｍ×８５ｍｍ×１６ｍｍの例を示している。図示したように、ここでは、装置構成要素を特定する内容と、その数値ないし調整事項について描画されている。
【００３９】
なお、無線アクセスポイント装置４０は、無線変換送出部４０１を主要なハードウェア構成とし、各電子ペーパ２０へ送出すべき情報を無線にて送出すべく処理をおこなう。
【００４０】
＜箱ライン設定表示システムの機能的構成＞
次に、箱ライン設定表示システム１の機能的構成について説明する。図５は、箱ライン設定表示システムの機能的構成例を示した説明図である。まず、電子ペーパ２０は、その機能的構成として、設定情報入力部５２１と、表示更新部５２２と、を有する。次に、サーバ装置３０は、その機能的構成として、記憶部５３１と、特定情報入力部５３２と、抽出部５３３と、表示情報送出部５３４と、比較部５３５と、表示方法変更部５３６と、を有する。なお、装置群１０のうち、ここでは、便宜的に、そのうちのある装置の構成要素α、β、γが近接していて一つの電子ペーパ２０にてそれらの設定情報が表示される例を概念的に示している。
【００４１】
まず、サーバ装置３０の機能的構成から説明する。
記憶部５３１は、図３に示したように、設定情報と特定情報とに関し、特定情報に従って一意に決定される各電子ペーパ２０それぞれに表示されるべき設定情報の組を当該特定情報に紐付けして記憶する。装置構成要素名も含ませて作業者の確認性を高めるようにもしている。記憶部５３１は、データ格納部３３０と、記憶プログラム３２１と、ＲＡＭ３０３などによりその機能を実現することができる。
【００４２】
特定情報入力部５３２は、特定情報を入力する。入力の仕方は、プルダウンメニューによる選択や、テキストの直接入力など特に限定されない。入力後、適宜決定ボタンの押下等により、電子ペーパ２０へ向けての更新処理が開始する。特定情報入力部５３２は、選択プログラム３２２と、ＯＳ３１１と、モニタ３０６と、マウス３０８と、キーボード３０７などによりその機能を実現することができる。
【００４３】
抽出部５３３は、特定情報入力部５３２により入力された特定情報に基づき、記憶部５３１により格納された設定情報の組を抽出する。設定情報の組は、特定情報にて一意に識別され、型替えに伴い多数存在する。抽出部５３３では、そのうちの一つ（の組）が抽出される。抽出部５３３は、データ格納部３３０と、抽出・処理プログラム３２３などによりその機能を実現することができる。
【００４４】
表示情報送出部５３４は、抽出部５３３により抽出された設定情報の組に基づき、対応する電子ペーパ２０へ向けて対応する設定情報を送出する。すなわち、型替えに際して、箱ライン設定表示システム１上の複数の電子ペーパ２０にて適正にそれぞれの設定情報が送出されるように処理する。表示情報送出部５３４は、送出プログラム３２４と、ＯＳ３１１と、ＲＡＭ３０３と、ＮＩＣ３０９等によりその機能を実現することができる。
【００４５】
なお、箱ライン設定表示システム１は、型替えに際して、必ずしも毎回すべての数値等が変わるわけでない。そこで、作業性を向上させるため、変更のある部分だけを目立たせるようにしている。
【００４６】
比較部５３５は、前回表示された設定情報の組と今回表示される設定情報の組とを比較する。そして、表示方法変更部５３６は、比較部５３５による比較の結果、相違する部分につき、表示の際に、文字列の頭または後に〇を描画するように情報を付加する（図４参照）。比較部５３５は、抽出・処理プログラム３２３と、ＲＡＭ３０３と、データ格納部３３０などによりその機能を実現することができる。表示方法変更部５３６は、送出プログラム３２４と、抽出・処理プログラム３２３と、ＯＳ３１１などによりその機能を実現することができる。
【００４７】
次に、電子ペーパ２０の機能的構成について説明する。電子ペーパ２０は、箱ライン設定表示システム１に多数設置されているが、ここでは、そのうちの一つについて説明する。
設定情報入力部５２１は、無線変換送出部４０１を介してサーバ装置３０からの設定情報を入力する。具体的には、当該電子ペーパ２０の識別情報に対応した設定情報のみを入力する。電子ペーパ２０の識別は特に限定はないが、当然ながら混信が生じないように処理され、適宜適切な通信プロトコルにより情報が授受される。設定情報入力部５２１は、受信部２０１などによりその機能を実現することができる。
【００４８】
表示更新部５２２は、設定情報入力部５２１により入力された設定内容に表示を更新する。具体的には、図４に示したように、画面２０３にて、設定値や調整値が作業者に把握可能なように表示される。表示更新部５２２は、描画制御部２０２と、画面２０３などによりその機能を実現できる。
【００４９】
以上説明したように、箱ライン設定表示システム１では、型替え作業を要求される箇所の近傍にて、電子ペーパ２０によりその内容が表示されるのでハンズフリーにて作業が可能となり、作業性が向上する。また、〇印により、どこを変えればよいか、差分で認識でき、この点からも作業性が向上する。特に、従来は、ある箇所の型替えをおこなった後、別の場所に移動し、タブレットをスワイプさせたり紙媒体のマニュアルをめくりなおしたりして、その都度、再確認が必要であったところ、必要な設定情報だけが該当箇所にて表示されているので、この点からも作業効率が向上する。また、電子ペーパ２０が多数使用されても、導入コストが低廉で済むので、既存のラインにも提供可能となる。また、軽量で電池による長期駆動が可能であり、設置性にも優れる。
【００５０】
なお、以上の例はこれに限定されない。たとえば、通信はＧＨｚ帯を用いず赤外線通信としても良い。なお、型替え種類は、経時的に多くなるため、記憶プログラム３２１を利用してデータ格納部３３０を追記していくようにしてもよい。より適切な設定値等に書き換えることも当然可能である。また、比較部５３５と表示方法変更部５３６とは、サーバ装置３０側に備えたが、使用の態様により、電子ペーパ２０側に設けるようにしてもよい。なお、電子ペーパ２０に音声出力機能を持たせ、音声情報により数値等を読み上げるようにすることもできる。
【産業上の利用可能性】
【００５１】
本発明は、箱ライン全体でなく、たとえば、製箱ライン部分のみに適用してもよいし、箱詰めライン部分のみに適用してもよい。
【符号の説明】
【００５２】
１        箱ライン設定表示システム
１０     装置群
２０     電子ペーパ
３０     サーバ装置
４０     無線アクセスポイント装置
２０１  受信部
２０２  描画制御部
２０３  画面
３０１  ＣＰＵ
３０３  ＲＡＭ
３０４  ハードディスク
３０５  グラフィックスカード
３０６  モニタ
３０７  キーボード
３０８  マウス
３０９  ＮＩＣ
３１０  アプリケーション部
３１１  ＯＳ
３１２  更新管理プログラム群
３２１  記憶プログラム
３２２  選択プログラム
３２３  抽出・処理プログラム
３２４  送出プログラム
３３０  データ格納部
４０１  無線変換送出部
５２１  設定情報入力部
５２２  表示更新部
５３１  記憶部
５３２  特定情報入力部
５３３  抽出部
５３４  表示情報送出部
５３５  比較部
５３６  表示方法変更部
【図１】
2016012163.tif 000003
【図２】
2016012163.tif 000004
【図３】
2016012163.tif 000005
【図４】
2016012163.tif 000006
【図５】
2016012163.tif 000007